(57)【特許請求の範囲】
【請求項１】
少なくとも背面部が開口する箱型の電源装置カバーと、
横桁片部及び起立片部を略Ｌ字状に形成し、前記起立片部が前記電源装置カバーの横面側壁側に対置するように、前記横桁片部を互いに離間して設置した一対のガイドレールを上面部に設置した電源装置本体と、
背面壁に押え金具を取付けた無線機とを有し、
前記電源装置本体は前記電源装置カバー内下部に設置して前記電源装置カバーにねじ等で取着し、
前記無線機は前記電源装置カバーの開口する背面部より挿入され、前記起立片部の間に嵌合すると共に前記横桁片部に載置し、前記押え金具を前記電源装置カバーに取付けて、前記無線機を前記電源装置カバーに固定したことを特徴とする無線機取付け構造を有する電源装置。
【請求項２】
前記電源装置カバーは内部上部に略コ字状の保持金具を設け、前記保持金具は凸状保持部を形成し、
前記押え金具は前記凸状保持部にネジ等で取着することによって、前記無線機を前記電源装置カバーに取り付けたことを特徴とする請求項１記載の無線機取付け構造を有する電源装置。
【請求項３】
少なくとも背面部が開口する箱型の電源装置カバーと、
横桁片部及び起立片部を略Ｌ字状に形成し、前記起立片部が前記電源装置カバーの横面側壁側に対置するように、前記横桁片部を互いに離間して設置した一対のガイドレールを上面部に設置した電源装置本体と、
背面壁に押え金具を取付けた無線機とを有し、
前記電源装置本体は前記電源装置カバー内下部に設置して前記電源装置カバーにネジ等で取着し、
前記無線機は前記電源装置カバーの開口する背面部より挿入され、前記起立片部の間に嵌合すると共に前記横桁片部に載置し、前記押え金具を前記電源装置カバーに取付けて、前記無線機を前記電源装置カバーに固定したことを特徴とする無線機取付け構造を有する電源装置を用いた無線設備。
【請求項４】
前記電源装置カバーは内部上部に略コ字状の保持金具を設け、前記保持金具は凸状保持部を形成し、
前記押え金具は前記凸状保持部にネジ等で取着することによって、前記無線機を前記電源装置カバーに取り付けたことを特徴とする請求項３記載の無線機取付け構造を有する電源装置を用いた無線設備。
【請求項５】
少なくとも背面部が開口する箱型の電源装置カバーと、
横桁片部及び起立片部を略Ｌ字状に形成し、前記両起立片部が前記電源装置カバーの横面側壁側に対置するように、前記横桁片部を互いに離間して設置した一対のガイドレールを上面部に設置した電源装置本体と、
背面壁に押え金具を取付けた無線機とを有し、
前記電源装置カバーは両横面側壁に、内方に向かって突出する係合片を設け、
前記両起立片部は互いに外方に開口し且つ前記電源装置カバーの正背面部方向に延びるガイド溝部を形成し、
前記電源装置本体を前記電源装置カバーの開口する背面部より挿入して前記ガイド溝部に前記係合片を係合させて前記電源装置本体を前記電源装置カバー内に収容した後、前記電源装置本体を前記電源装置カバーの両横面側壁にネジ等により固定し、前記無線機を前記電源装置カバーの開口する背面部より挿入し、前記起立片部の間に嵌合すると共に前記横桁片部に設置し、前記押え金具を前記電源装置カバーに取付けて、前記無線機を前記電源装置カバーに固定したことを特徴とする無線機取付け構造を有する電源装置。
【請求項６】
前記電源装置カバーは内部上部に略コ字状の保持金具を設け、前記保持金具は凸状保持部と前記ガイドレールのガイド溝に係合する係合片を形成し、前記押え金具は前記凸状保持部にネジ等で取着することによって、前記無線機を前記電源装置カバーに取り付けたことを特徴とする請求項５記載の無線機取付け構造を有する電源装置。
【請求項７】
少なくとも背面部が開口する箱型の電源装置カバーと、
横桁片部及び起立片部を略Ｌ字状に形成し、前記両起立片部が前記電源装置カバーの横面側壁側に対置するように、前記横桁片部を互いに離間して設置した一対のガイドレールを上面部に設置した電源装置本体と、
背面壁に押え金具を取付けた無線機とを有し、
前記電源装置カバーは両横側面壁に、内方に向かって突出する係合片を設け、
前記両起立片部は互いに外方に開口し且つ前記電源装置カバーの正背面部方向に延びるガイド溝部を形成し、
前記電源装置本体を電源装置カバーの開口する背面部より挿入して前記ガイド溝部に前記係合片を係合させて前記電源装置本体を前記電源装置カバー内に収容した後、前記電源装置本体を前記電源装置カバーの両横面側壁にネジ等により固定し、前記無線機を前記電源装置カバーの開口する背面部より挿入し、前記起立片部の間に嵌合すると共に前記横桁片部に載置し、前記押え金具を前記電源装置カバーに取付けて、前記無線機を前記電源装置カバーに固定したことを特徴とする無線機取付け構造を有する電源装置を用いた無線設備。
【請求項８】
前記電源装置カバーは内部上部に略コ字状の保持金具を設け、前記保持金具は凸状保持部と前記ガイドレールのガイド溝に係合する係合片とを形成し、
前記押え金具は前記凸状保持部にネジ等で取着することによって、前記無線機を前記電源装置カバーに取り付けたことを特徴とする請求項７記載の無線機取付け構造を有する電源装置を用いた無線設備。
【請求項９】
少なくとも背面部が開口する箱型の電源装置カバー内下部に電源装置本体を設置した後、この電源装置本体を前記電源装置カバーにネジ等で取着する一方、予め前記電源装置本体の上面部に、横桁片部及び起立片部を略Ｌ字状に形成した一対のガイドレールの横桁片部を、前記起立片部が前記電源装置カバーの横面側壁側に対置するように、互いに離間して設置しておき、前記両ガイドレールの起立片部の間に無線機を前記電源装置本体の開口する背面部より挿入して嵌合して前記横桁片部に載置し、次に、前記無線機の背面壁に取付けた押え金具を前記電源装置カバーに取付けて、前記無線機を前記電源装置カバーに固定するようにしたことを特徴とする無線機の電源装置への取付け方法。
【請求項１０】
少なくとも背面部が開口する箱型の電源装置カバーの両横面側壁に、内方に向かって突出する係合片を設けておく一方、電源装置本体の上面部に横桁片部及び起立片部を略Ｌ字状に形成した一対のガイドレールの横桁片部を、前記両起立片部が互いに外側に対置するように、互いに離間して設置し、次に、予め前記両起立片部に形成しておいた、互いに外方に開口し且つ前記電源装置カバーの正背面部方向に延びるガイド溝部に、電源装置カバーの開口する背面部より挿入した前記電源装置本体を前記係合片を挿入して、前記電源装置本体を電源装置カバー内に収容した後、この電源装置カバーの両横面側壁にネジ等により固定し、更に、前記両ガイドレールの起立片部の間に無線機を前記電源装置本体の開口する背面部より挿入して嵌合すると共に前記横桁片部に載置し、前記無線機の背面壁に取付けた押え金具を前記電源装置カバーに取付けて、前記無線機を前記電源装置カバーに固定したことを特徴とする無線機取付け構造を有する電源装置無線機の電源装置への取付け方法。
【請求項１１】
少なくとも背面部が開口する箱型の電源装置カバー内下部に電源装置本体を設置して、この電源装置本体を前記電源装置カバーにネジ等で取着し、且つ、前記電源装置本体の上面部に、横桁片部及び起立片部を略Ｌ字状に形成した一対のガイドレールの横桁片部を、前記起立片部が前記電源装置カバーの横面側壁側に対置するように、互いに離間して設置し、更に、前記両ガイドレールの起立片部の間に無線機を前記電源装置本体の開口する背面部より挿入して嵌合すると共に前記横桁片部に載置し、前記無線機の背面壁に取付けた押え金具を前記電源装置カバーに取付けて、前記無線機を前記電源装置カバーに固定したことを特徴とする無線機取付け構造を有する電源装置において、先ず、前記電源装置カバーに取付けた押え金具を取り外し、次に、この押え金具と共に前記無線機を前記ガイドレールの起立片部間を摺動させて電源装置カバーの背面部開口から取出すようにしたことを特徴とする無線機の電源装置から分解する方法。
【請求項１２】
少なくとも背面部が開口する箱型の電源装置カバーの両横面側壁に、内方に向かって突出する係合片を設ける一方、電源装置本体の上面部に横桁片部及び起立片部を略Ｌ字状に形成した一対のガイドレールの横桁片部を、前記両起立片部が互いに外側に対置するように、互いに離間して設置すると共に、前記両起立片部に互いに外方に開口し且つ前記電源装置カバーの正背面部方向に延びるガイド溝部を形成し、前記電源装置本体を電源装置カバーの開口する背面部より挿入して前記ガイド溝部に前記係合片を挿入して、前記電源装置本体を電源装置カバー内に収容した後、この電源装置カバーの両横面側壁にネジ等により固定し、更に、前記両ガイドレールの起立片部の間に無線機を前記電源装置本体の開口する背面部より挿入して嵌合すると共に前記横桁片部に載置し、前記無線機の背面壁に取付けた押え金具を前記電源装置カバーに取付けて、前記無線機を前記電源装置カバーに固定したことを特徴とする無線機取付け構造を有する電源装置において、先ず、前記電源装置カバーに取付けた押え金具を取り外し、次に、この押え金具と共に前記無線機を前記ガイドレールの起立片部間を摺動させて電源装置カバーの背面部開口から取出すようにしたことを特徴とする無線機の電源装置から分解する方法。
【発明の詳細な説明】
【０００１】
【発明の属する技術分野】
本発明は、無線設備等に使用する無線機取付け構造を有する電源装置並びにこれを用いた無線設備並びに無線機の電源装置への取付け方法又は無線機の電源装置から分解する方法に関する。
【０００２】
【従来の技術】
従来のこの種装置としては、図５に示すものが知られている。これによれば、無線機３１、略コ字状を呈する保持金具３２、電源装置本体３３、無線機３１の押え金具３４及びコ字状のカバー３５を有して構成している。
電源装置本体３３は、下側が機構部３３1となっており、上側は空間部となっており、更に、その正面上部にエスカッション保持穴３３ｅが形成され、又、両横側壁部に４個所の雌ネジ部３３ｄが形成されており、更に又、上側の空間部を形成する両横側壁３３2の中央部に互いに内方に突出する取付片部３３ｂが形成され、この取付片部３３ｂにそれぞれ雌ネジ部３３ａを形成し、更に、両横側壁３３2の後部先端に雌ネジ部３３ｄを形成している。前記機構部３３1の上面部には、互いに離間した一対の位置決め用ネジ３３ｃが設けられている。
無線機３１は、その前面部に電源装置本体３３のエスカッション保持穴部３３ｅより表出するエスカッション部３１ａを有しており、又、両横側壁面部には、背面側に開口する一対のレールガイド３１ｃが刻設されている。更に、無線機３１の横側面部におけるエスカッション部３１ａ側には、互いに外方向に張り出す突片３１ａが設けられている。
【０００３】
保持金具３２は、略コ字状を呈しており、その底部３２1には、前記位置決め用ネジ３３ｃが貫通する位置決め用穴３２ｃが穿設され、又、互いに対向起立する側壁部３２2には、前記無線機３１のレールガイド３１ｃに挿入されるレール３２ｄが互いに内方に突出して形成され、更に、側壁部３２2の前端部は、若干外方に張り出して雌ネジ３２ｂが形成されている。
押え金具３４の両端部には、それぞれ、前記電源装置本体３３の取付片部３３ｂに形成した雌ネジ３３ａに対向する穴３４ａが穿設されている。
カバー３５は、上壁部３５１の後端部側に前記電源装置本体３３の雌ネジ３３ｄに螺合するネジ３６ａが挿通する穴３５ａが穿設され、又、側壁部３３2の先端側には、前記電源装置本体３３の雌ネジ３３ｄに螺合するネジ３６ｂが挿通する穴３５ｂが穿設されている。
【０００４】
以上のように構成する従来の装置において、先ず、無線機３１の底部側を保持金具３３の底部３３2の内側に載置すべく、レール３２ｄをレールガイド３１ｃに挿入して、無線機３１を保持金具３２に組付けて、次に、保持金具３２がついた無線機３１を、電源装置本体３３の機構部３３1上に載置し、位置決め用穴３２ｃに位置決め用ネジ３３ｄを挿入して、無線機３１の位置決めを行う。次に、押え金具３４を電源装置本体３３の横側壁部３３2上に載置し、ネジ３７を穴３４ａに挿通させた後取付片部３３ｂの雌ネジ３３ａに螺合して、無線機３１を電源装置本体３３に固定する。
【０００５】
次に、カバー３５を電源装置本体３３に被せて、ネジ３６ｂを穴３５ａに挿通させた後、電源装置本体３３の雌ネジ３３ｄに螺合して、カバー３５を電源装置本体３３3に固定して、完成する。
【０００６】
【発明が解決しようとする課題】
しかしながら、上記のように構成する従来の装置においては、完成後、例えば無線機３１を修理すべく取り外すには、先ず、カバー３５を電源装置から取り外す必要があり、このカバー３５を取り外すには、ネジ３６ａ及び３６ｂを取り外す必要がある。そして、更に、押え金具３４を取付けているネジ３７を取り外して、保持金具３２と共に無線機３１を電源装置本体３３から取り外す必要がある。
【０００７】
このために、従来の装置では、無線機３１のメンテナンス性に劣り、この逆をいえば組立性にも劣ることになり、又、電源装置本体３３が複雑な形状であることと相俟って、カバー３５が板金製であり塗装もしてあることから、部品単価も高いものとなっている。
【０００８】
本発明は、かかる点に鑑み、組立性及びメンテナンス性に優れ、しかも安価なものにすべく案出された無線機取付け構造を有する電源装置並びにこれを用いた無線設備並びに無線機の電源装置への取付け方法又は無線機の電源装置から分解する方法を提供することを目的としている。
【０００９】
【課題を解決するための手段】
上記目的を達成するために本発明は、少なくとも背面部が開口する箱型の電源装置カバーと、横桁片部及び起立片部を略Ｌ字状に形成し、前記起立片部が前記電源装置カバーの横面側壁側に対置するように、前記横桁片部を互いに離間して設置した一対のガイドレールを上面部に設置した電源装置本体と、背面壁に押え金具を取付けた無線機とを有し、前記電源装置本体は前記電源装置カバー内下部に設置して前記電源装置カバーにねじ等で取着し、前記無線機は前記電源装置カバーの開口する背面部より挿入され、前記起立片部の間に嵌合すると共に前記横桁片部に載置し、前記押え金具を前記電源装置カバーに取付けて、前記無線機を前記電源装置カバーに固定して構成するものである。
【００１０】
この結果、無線機は、押え金具を電源装置カバーより取り外せば、後は、この押え金具と共に、ガイドレールを摺動させて、電源装置カバーの背面部開口から引き出せば、電源装置カバーから取り外すことができ、メンテナンス性が優れていると共に、、この逆である組み立て性も優れ、従来のような電源装置本体が複雑な形状でなくなり、しかも塗装された板金製のカバーを使用しないことから、部品単価を低減することができる。
【００１１】
【発明の実施の形態】
請求項１記載の本発明は、少なくとも背面部が開口する箱型の電源装置カバーと、横桁片部及び起立片部を略Ｌ字状に形成し、前記起立片部が前記電源装置カバーの横面側壁側に対置するように、前記横桁片部を互いに離間して設置した一対のガイドレールを上面部に設置した電源装置本体と、背面壁に押え金具を取付けた無線機とを有し、前記電源装置本体は前記電源装置カバー内下部に設置して前記電源装置カバーにねじ等で取着し、前記無線機は前記電源装置カバーの開口する背面部より挿入され、前記起立片部の間に嵌合すると共に前記横桁片部に載置し、前記押え金具を前記電源装置カバーに取付けて、前記無線機を前記電源装置カバーに固定したことを特徴とする無線機取付け構造を有する電源装置であり、この電源装置より、無線機を取り外すには、押え金具を電源装置カバーより取り外して、この押え金具と共に無線機を、ガイドレールを摺動させて電源装置カバーの背面部開口から引き出せばよく、メンテナンス性が優れていると共に、この逆である組み立て性も優れ、従来のように電源装置本体のように複雑な形状でなく、しかも塗装された板金製のカバーを使用しないことから、部品単価を低減することができる。
【００１２】
請求項２に記載された本発明は、請求項１記載の電源装置カバーが内部上部に略コ字状の保持金具を設け、前記保持金具は凸状保持部を形成し、前記押え金具は前記凸状保持部にネジ等で取着することによって、前記無線機を前記電源装置カバーに取り付けるようにしたもので、無線機の電源装置カバーへの取付けが剛性をもって行うことができる。
【００１３】
請求項３に記載された本発明は、少なくとも背面部が開口する箱型の電源装置カバーと、横桁片部及び起立片部を略Ｌ字状に形成し、前記起立片部が前記電源装置カバーの横面側壁側に対置するように、前記横桁片部を互いに離間して設置した一対のガイドレールを上面部に設置した電源装置本体と、背面壁に押え金具を取付けた無線機とを有し、前記電源装置本体は前記電源装置カバー内下部に設置して前記電源装置カバーにネジ等で取着し、前記無線機は前記電源装置カバーの開口する背面部より挿入され、前記起立片部の間に嵌合すると共に前記横桁片部に載置し、前記押え金具を前記電源装置カバーに取付けて、前記無線機を前記電源装置カバーに固定したことを特徴とする無線機取付け構造を有する電源装置を用いた無線設備であって、このような無線設備における電源装置より、無線機を取り外すには、押え金具を電源装置カバーより取り外して、この押え金具と共に無線機を、ガイドレールを摺動させて電源装置カバーの背面部開口から引き出せばよく、メンテナンス性が優れていると共に、この逆である組み立て性も優れ、従来のように電源装置本体が複雑な形状でなく、しかも塗装された板金製のカバーを使用しないことから、部品単価を低減することができる。
【００１４】
請求項４に記載の本発明は、請求項３記載の電源装置カバーが内部上部に略コ字状の保持金具を設け、前記保持金具は凸状保持部を形成し、前記押え金具は前記凸状保持部にネジ等で取着することによって、前記無線機を前記電源装置カバーに取り付けるようにしたもので、無線機の電源装置カバーへの取付けが剛性をもって行うことができる。
【００１５】
請求項５に記載の本発明は、少なくとも背面部が開口する箱型の電源装置カバーと、横桁片部及び起立片部を略Ｌ字状に形成し、前記両起立片部が前記電源装置カバーの横面側壁側に対置するように、前記横桁片部を互いに離間して設置した一対のガイドレールを上面部に設置した電源装置本体と、背面壁に押え金具を取付けた無線機とを有し、前記電源装置カバーは両横面側壁に、内方に向かって突出する係合片を設け、前記両起立片部は互いに外方に開口し且つ前記電源装置カバーの正背面部方向に延びるガイド溝部を形成し、前記電源装置本体を前記電源装置カバーの開口する背面部より挿入して前記ガイド溝部に前記係合片を係合させて前記電源装置本体を前記電源装置カバー内に収容した後、前記電源装置本体を前記電源装置カバーの両横面側壁にネジ等により固定し、前記無線機を前記電源装置カバーの開口する背面部より挿入し、前記起立片部の間に嵌合すると共に前記横桁片部に設置し、前記押え金具を前記電源装置カバーに取付けて、前記無線機を前記電源装置カバーに固定したことを特徴とする無線機取付け構造を有する電源装置であり、この電源装置より、無線機を取り外すには、押え金具を電源装置カバーより取り外して、この押え金具と共に無線機を、ガイドレールを摺動させて電源装置カバーの背面部開口から引き出せばよく、メンテナンス性が優れていると共に、この逆である組み立て性も優れ、従来のように電源装置本体が複雑な形状でなく、しかも塗装された板金製のカバーを使用しないことから、部品単価を低減することができる。
【００１６】
請求項６に記載の本発明は、請求項５記載の電源装置カバーが内部上部に略コ字状の保持金具を設け、前記保持金具が凸状保持部と前記ガイドレールのガイド溝に係合する係合片を形成し、前記押え金具は前記凸状保持部にネジ等で取着することによって、前記無線機を前記電源装置カバーに取り付けたもので、無線機の電源装置カバーへの取付けが剛性をもって行うことができる。
【００１７】
請求項７に記載の本発明は、少なくとも背面部が開口する箱型の電源装置カバーと、横桁片部及び起立片部を略Ｌ字状に形成し、前記両起立片部が前記電源装置カバーの横面側壁側に対置するように、前記横桁片部を互いに離間して設置した一対のガイドレールを上面部に設置した電源装置本体と、背面壁に押え金具を取付けた無線機とを有し、前記電源装置カバーは両横側面壁に、内方に向かって突出する係合片を設け、前記両起立片部は互いに外方に開口し且つ前記電源装置カバーの正背面部方向に延びるガイド溝部を形成し、前記電源装置本体を電源装置カバーの開口する背面部より挿入して前記ガイド溝部に前記係合片を係合させて前記電源装置本体を前記電源装置カバー内に収容した後、前記電源装置本体を前記電源装置カバーの両横面側壁にネジ等により固定し、前記無線機を前記電源装置カバーの開口する背面部より挿入し、前記起立片部の間に嵌合すると共に前記横桁片部に載置し、前記押え金具を前記電源装置カバーに取付けて、前記無線機を前記電源装置カバーに固定したことを特徴とする無線機取付け構造を有する電源装置を用いた無線設備であって、このような無線設備における電源装置より、無線機を取り外すには、押え金具を電源装置カバーより取り外して、この押え金具と共に無線機を、ガイドレールを摺動させて電源装置カバーの背面部開口から引き出せばよく、メンテナンス性が優れていると共に、この逆である組み立て性も優れ、従来のように電源装置本体が複雑な形状でなく、しかも塗装された板金製のカバー３５を使用しないことから、部品単価を低減することができる。
【００１８】
請求項８に記載の本発明は、請求項７記載の電源装置カバーが内部上部に略コ字状の保持金具を設け、前記保持金具が凸状保持部と前記ガイドレールのガイド溝に係合する係合片とを形成し、前記押え金具が前記凸状保持部にネジ等で取着することによって、前記無線機を前記電源装置カバーに取り付けたもので、無線機の電源装置カバーへの取付けが剛性をもって行うことができる。
【００１９】
請求項９に記載の本発明は、少なくとも背面部が開口する箱型の電源装置カバー内下部に電源装置本体を設置した後、この電源装置本体を前記電源装置カバーにネジ等で取着する一方、予め前記電源装置本体の上面部に、横桁片部及び起立片部を略Ｌ字状に形成した一対のガイドレールの横桁片部を、前記起立片部が前記電源装置カバーの横面側壁側に対置するように、互いに離間して設置しておき、前記両ガイドレールの起立片部の間に無線機を前記電源装置本体の開口する背面部より挿入して嵌合して前記横桁片部に載置し、次に、前記無線機の背面壁に取付けた押え金具を前記電源装置カバーに取付けて、前記無線機を前記電源装置カバーに固定するようにしたことを特徴とする無線機の電源装置への取付け方法であって、電源装置より、無線機を取り外すには、押え金具を電源装置カバーより取り外して、この押え金具と共に無線機を、ガイドレールを摺動させて電源装置カバーの背面部開口から引き出せばよく、メンテナンス性が優れていると共に、この逆である組み立て性も優れている。
【００２０】
請求項１０に記載の本発明は、少なくとも背面部が開口する箱型の電源装置カバーの両横面側壁に、内方に向かって突出する係合片を設けておく一方、電源装置本体の上面部に横桁片部及び起立片部を略Ｌ字状に形成した一対のガイドレールの横桁片部を、前記両起立片部が互いに外側に対置するように、互いに離間して設置し、次に、予め前記両起立片部に形成しておいた、互いに外方に開口し且つ前記電源装置カバーの正背面部方向に延びるガイド溝部に、電源装置カバーの開口する背面部より挿入した前記電源装置本体を前記係合片を挿入して、前記電源装置本体を電源装置カバー内に収容した後、この電源装置カバーの両横面側壁にネジ等により固定し、更に、前記両ガイドレールの起立片部の間に無線機を前記電源装置本体の開口する背面部より挿入して嵌合すると共に前記横桁片部に載置し、前記無線機の背面壁に取付けた押え金具を前記電源装置カバーに取付けて、前記無線機を前記電源装置カバーに固定したことを特徴とする無線機取付け構造を有する電源装置無線機の電源装置への取付け方法であり、電源装置より、無線機を取り外すには、押え金具を電源装置カバーより取り外して、この押え金具と共に無線機を、ガイドレールを摺動させて電源装置カバーの背面部開口から引き出せばよく、メンテナンス性が優れていると共に、この逆である組み立て性も優れている。
【００２１】
請求項１１に記載の本発明は、少なくとも背面部が開口する箱型の電源装置カバー内下部に電源装置本体を設置して、この電源装置本体を前記電源装置カバーにネジ等で取着し、且つ、前記電源装置本体の上面部に、横桁片部及び起立片部を略Ｌ字状に形成した一対のガイドレールの横桁片部を、前記起立片部が前記電源装置カバーの横面側壁側に対置するように、互いに離間して設置し、更に、前記両ガイドレールの起立片部の間に無線機を前記電源装置本体の開口する背面部より挿入して嵌合すると共に前記横桁片部に載置し、前記無線機の背面壁に取付けた押え金具を前記電源装置カバーに取付けて、前記無線機を前記電源装置カバーに固定したことを特徴とする無線機取付け構造を有する電源装置において、先ず、前記電源装置カバーに取付けた押え金具を取り外し、次に、この押え金具と共に前記無線機を前記ガイドレールの起立片部間を摺動させて電源装置カバーの背面部開口から取出すようにしたことを特徴とする無線機の電源装置から分解する方法であって、無線機の電源装置からの分解を、押え金具の取り外せば行えるので、メンテナンス性に優れている。
【００２２】
請求項１２に記載の本発明は、少なくとも背面部が開口する箱型の電源装置カバーの両横面側壁に、内方に向かって突出する係合片を設ける一方、電源装置本体の上面部に横桁片部及び起立片部を略Ｌ字状に形成した一対のガイドレールの横桁片部を、前記両起立片部が互いに外側に対置するように、互いに離間して設置すると共に、前記両起立片部に互いに外方に開口し且つ前記電源装置カバーの正背面部方向に延びるガイド溝部を形成し、前記電源装置本体を電源装置カバーの開口する背面部より挿入して前記ガイド溝部に前記係合片を挿入して、前記電源装置本体を電源装置カバー内に収容した後、この電源装置ケースの両横面側壁にネジ等により固定し、更に、前記両ガイドレールの起立片部の間に無線機を前記電源装置本体の開口する背面部より挿入して嵌合すると共に前記横桁片部に載置し、前記無線機の背面壁に取付けた押え金具を前記電源装置カバーに取付けて、前記無線機を前記電源装置カバーに固定したことを特徴とする無線機取付け構造を有する電源装置において、先ず、前記電源装置カバーに取付けた押え金具を取り外し、次に、この押え金具と共に前記無線機を前記ガイドレールの起立片部間を摺動させて電源装置カバーの背面部開口から取出すようにしたことを特徴とする無線機の電源装置から分解する方法であって、無線機の電源装置からの分解を、押え金具の取り外せば行えるので、メンテナンス性に優れている。
【００２３】
（実施の形態１）
次に、本発明の実施の形態１について、図１及び図２を用いて説明する。
図１及び図２において、１は電源装置カバー、２は電源装置本体、３は保持金具、４は無線機をそれぞれ示している。
【００２４】
電源装置カバー１は、背面部及び底面部がそれぞれ開口してコ字状を呈する箱型となっており、正面部には、エスカッション保持穴１ａが形成され、両横面側壁内面の正面側に背面側に折曲する鈎型リブ１ｂが形成され、又、上面部内面の背面部側には、互いに離間し底面部側に突出するボス１ｃが形成されており、更に、両横面側壁の下部には、それぞれ一対の貫通穴１ｄが穿設されている。なお、電源装置カバー１の底面部は、開口していなくてもよいが、この実施の形態では、両横面側壁側にフランジ部１ｅを残して、開口している。
電源装置本体２の上面部には、横桁片部５ａ及び起立片部５ｂにより略Ｌ字状に形成した一対のガイドレール５が設置されており、ガイドレール５の起立片部５ｂが、図１に示すように、電源装置ケース１の下部側に設置したときに、電源装置カバー１の横面側壁側に対置し、ガイドレール５は電源装置カバー１の正背両面方向に延在している。又、電源装置本体２の両側面には、雌ネジ穴５ｃが形成されている。
【００２５】
保持金具３は、略コ字状を呈しており、上面側後部に互いに離間する一対の穴３ｃが穿設され、両側面壁に互いに外方に突出する凸状保持部３ａが切欠き形成され、更に、両側面壁前部側には、鈎型リブ１ｂが係合する切欠き３ｂが形成されている。
【００２６】
無線機４は、その正面部側に電源装置カバー１のエスカッション保持穴１ａに挿入され表出するエスカッション部４ａを有し、又、背面壁側には、略Ｔ字状の押え金具６が取着されており、この押え金具６には、保持金具３の凸状保持部３ａに設けた雌ネジ穴３ａ′に対応しており、ネジ８を用いて、無線機４を電源装置カバー１に取り付け可能となっている。
【００２７】
上記のような構成において、無線機４を電源装置カバー１に取付ける場合、先ず、電源装置カバー１内の下部であるフランジ部１ｅに電源装置本体２を載置し、貫通穴１ｄにネジ１０を挿通し、電源装置本体２の両側面部に設けた雌ネジ穴５ｃに螺合することにより、電源装置本体２を電源カバー１に設置する。
そして、予め電源装置本体２の上面部に、ガイドレール５の横桁片部５ａを、起立片部５ｂが電源装置カバー１の横面側壁側に対置するように、互いに離間して設置しておき、両ガイドレール５の起立片部５ｂの間に無線機４を電源装置本体２の開口する背面部より図２の矢印方向に挿入して嵌合して横桁片部５ａに載置する。
【００２８】
又、保持金具３の切欠き３ｂを鈎型リブ１ｂに係合すると共に、穴３ｃをボス１ｃに対向させて、このボス１ｃに設けた雌ネジ穴に保持具３の上面側よりネジ９を螺合することにより、保持金具３を電源装置カバー１に取着する。
次に、無線機４の背面壁側に取付けた押え金具６を、そのネジ８を穴６ａに挿通し保持部３ａの雌ネジ穴３ａ′に螺合させて、電源装置カバー１に取付けて、無線機４を電源装置カバー１に固定して、無線機４の電源装置カバー１への取付けを完了する。
【００２９】
このように、電源カバー１へ取付けた無線機４をメンテナンス等のために分解するには、先ず、電源装置カバー１に取付けた押え金具６を、ネジ８を取り外すことによって、電源装置カバー１から取り外し、次に、この押え金具６と共に無線機４をガイドレール５の起立片部５ｂ間を摺動させて、電源装置カバー１の背面部開口から取出すことによって行う。
以上の実施の形態１によれば、電源装置カバー１より、無線機４を取り外すには、押え金具６を電源装置カバー１より取り外して、この押え金具６と共に無線機４を、ガイドレール５を摺動させて電源装置カバー１の背面部開口から引き出せばよく、メンテナンス性が優れていると共に、この逆である組み立て性も優れている。
【００３０】
（実施の形態２）
次に、本発明の実施の形態２について、図３及び図４を用いて説明する。
図３及び図４において、１は電源装置カバー、２は電源装置本体、３は保持金具、４は無線機をそれぞれ示している。
【００３１】
電源装置カバー１は、背面部及び底面部がそれぞれ開口してコ字状を呈する箱型となっており、正面部には、エスカッション保持穴１ａが形成され、両横面側壁の下部には、それぞれ一対の貫通穴１ｄが穿設されている。なお、電源装置カバー１の底面部は、開口していなくてもよいが、この実施の形態では、両横面側壁側にフランジ部１ｅを残して、開口している。
【００３２】
電源装置本体２の上面部には、横桁片部５ａ及び起立片部５ｂにより略Ｌ字状に形成した一対のガイドレール５が設置されており、ガイドレール５の起立片部５ｂが、、電源装置ケース１の下部側に設置したときに、電源装置カバー１の横面側壁側に対置し、ガイドレール５は電源装置カバー１の正背両面方向に延在している。又、電源装置本体２の両側面には、ネジ穴５ｃが形成されている。更に、起立片部５ｂには、互いに外方に開口し且つ電源装置カバー１の正背両面部方向に延びるガイド溝部２ａが張り出し形成されている。
【００３３】
保持金具３は、略コ字状を呈しており、図示はしないが、実施の形態１と同様、上面側後部に互いに離間する一対の穴３ｃが穿設されていると共に、両側面壁前部側には、電源装置カバー１の鈎型リブ１ｂ（不図示）が係合する切欠き３ｂが形成されている。又、両側面壁に互いに内方に突出する凸状保持部３ａが切欠き形成され、この凸状保持部３ａには、雌ネジ穴３ａ′が形成されている。また、保持金具３の両下端部には、互いに内方に延在する係合片３ｄがそれぞれ形成されているおり、この係合片３ｄはガイドレール５の起立片部５ｂに設けたガイド溝部２ａに係合するようになっている。
【００３４】
無線機４は、その正面部側に電源装置カバー１のエスカッション保持穴１ａに挿入され表出するエスカッション部４ａを有し、又、背面壁側には、略Ｔ字状の押え金具６が取着されており、この押え金具６には、保持金具３の凸状保持部３Ａに設けた雌ネジ穴３ａ′に対応しており、ネジ８を用いて、無線機４を電源装置カバー１に取り付け可能となっている。
上記のような構成において、無線機４を電源装置カバー１に取付ける場合、先ず、保持金具３を、その係合片３ｄ側を下側にして、電源装置カバー１の上面部側に取付けておく。
【００３５】
次に、電源装置カバー１の背面部を図３の矢印方向から挿入して、保持金具３の係合片３ｄにガイドレール５の起立片部５ｂに設けたガイド溝部２ａを係合させ、電源装置カバー１内の下部であるフランジ部１ｅに電源装置本体２を載置し、貫通穴１ｄにネジ１０を挿通し、電源装置本体２の両側面部に設けたネジ穴５ｃに螺合することにより、電源装置本体２を電源カバー１に設置する。
【００３６】
そして、予め電源装置本体２の上面部に、ガイドレール５の横桁片部５ａを、起立片部５ｂが電源装置カバー１の横面側壁側に対置するように、互いに離間して設置しておき、両ガイドレール５の起立片部５ｂの間に無線機４を電源装置本体２の開口する背面部より挿入して嵌合して横桁片部５ａに載置しておき、無線機４の背面壁側に取付けた押え金具６を、そのネジ８を穴６ａに挿通して保持部３ａのネジ穴３ａ′に螺合させて、電源装置カバー１に取付けて、無線機４を電源装置カバー１に固定して、無線機４の電源装置カバー１への取付けを完了する。
【００３７】
このように、電源カバー１へ取付けた無線機４をメンテナンス等のために分解するには、先ず、電源装置カバー１に取付けた押え金具６を、ネジ８を取り外すことによって、電源装置カバー１から取り外し、次に、この押え金具６と共に無線機４をガイドレール５の起立片部５ｂ間を摺動させて、電源装置カバー１の背面部開口から取出すことによって行う。
【００３８】
以上の実施の形態２によれば、電源装置カバー１より、無線機４を取り外すには、押え金具６を電源装置カバー１より取り外して、この押え金具６と共に無線機４を、ガイドレール５を摺動させて電源装置カバー１の背面部開口から引き出せばよく、メンテナンス性が優れていると共に、この逆である組み立て性も優れている。
【００３９】
なお、以上説明した電源装置は、無線設備に使用されるものである。
【００４０】
【発明の効果】
以上のように構成する本発明は、電源装置カバーより、無線機を取り外すには、押え金具を電源装置カバーより取り外して、この押え金具と共に無線機を、ガイドレールを摺動させて電源装置カバーの背面部開口から引き出せばよく、メンテナンス性が優れていると共に、この逆である組み立て性も優れている。
又、本発明の電源装置カバーは、少なくとも背面部が開口する箱型の電源装置カバーを使用していることから、従来のように電源装置本体が複雑な形状でなくなり、しかも塗装された板金製のカバーを使用する必要がなく、部品単価を低減することができる。
【図面の簡単な説明】
【図１】本発明の実施の形態１による分解斜視図
【図２】同無線機の電源装置カバーに取付ける組立過程を示す分解斜視図
【図３】本発明の実施の形態２による分解斜視図。
【図４】同電源装置カバーと無線機が設置された電源装置本体とを分解して示す要部背面図
【図５】従来の電源装置を示す斜視図
【符号の説明】
１    電源装置カバー
１ａ  エスカッション保持穴
１ｂ  鈎型リブ
１ｄ  穴
２    電源装置本体
４    保持金具
３ａ  凸状保持部
３ｂ  切欠き部
３ｃ  穴
４    無線機
４ａ  エスカッション部
５    ガイドレール
５ａ  横桁片部
５ｂ  起立片部
６    押え金具
６ａ  穴
【図１】
0004040163.tif 000002
【図２】
0004040163.tif 000003
【図３】
0004040163.tif 000004
【図４】
0004040163.tif 000005
【図５】
0004040163.tif 000006